(57)【要約】【課題】通話時において、通話相手にデータを送信する際、通話相手のアドレスをデータ送信先として自動的に設定する携帯通信端末を提供する。【解決手段】携帯電話端末１で通話中、ユーザは表示出力部１４に表示されているデータから送信したいデータを操作部１１で選択し送信操作を行う。制御部１５は選択したデータを添付ファイルとするメールを生成する。次に制御部１５は、通話相手の着番号ないし発呼番号である電話番号を、記憶部２３に格納されている電話帳から検索する。次に制御部１５は、検索した電話番号が登録された電話帳の１個人のデータ内にある、その通話相手のメールアドレスを記憶部２３から取得し、メールの送信先として設定する。そして制御部１５は選択したデータを添付したメールを無線通信部１７、アンテナ１８を介して基地局２に送信する。【選択図】      図１
2004260686.tif 000002
【特許請求の範囲】
【請求項１】
電話番号とアドレスを含む個人データを格納している記憶手段を有し、音声通信およびデータ通信を行う携帯通信端末において、
通話中に通話相手の電話番号を、着番号情報ないし発呼番号から取得する取得手段と、
前記取得手段により取得した電話番号を有する個人データを、前記記憶手段から検索する検索手段と、
前記検索手段により検索した前記個人データに登録されているアドレスを、データの送信先に設定する設定手段と
を有する携帯通信端末。
【請求項２】
前記個人データが１つ以上の電話番号と１つ以上のアドレスを含み、
前記個人データに登録された電話番号との通話中において、前記個人データに登録された１つのアドレスをデータ送信先に選択すると、選択されたアドレスを通話中の前記電話番号に関連付けし、
次回前記電話番号での通話中に、前記選択されたアドレスがデータ送信先として優先的に設定される
ことを特徴とする請求項１記載の携帯通信端末。
【請求項３】
前記個人データに登録された電話番号と通話中において、データ送信先のアドレスを入力すると、前記入力したアドレスを通話中の前記電話番号に関連付ける
ことを特徴とする請求項１または２に記載の携帯通信端末。
【請求項４】
電話番号およびメールアドレスを個人データ毎に記憶する記憶手段を備えた携帯通信端末において、
操作手段と、
前記操作手段の操作に応じてメールの作成画面を表示する表示手段と、
通話中に前記表示手段によって前記メールの作成画面が表示された場合に、通話相手の電話番号と前記記憶手段の情報に基づいて通話相手のメールアドレスを検索する検索手段と、
前記検索手段によって検索された通話相手のメールアドレスをメール送信先として設定する設定手段と
を備えたことを特徴とする携帯通信端末。
【請求項５】
前記メール送信先の項目を入力する際に、前記設定手段は通話相手のメールアドレスをメール送信先として設定する
ことを特徴とする請求項４記載の携帯通信端末。
【発明の詳細な説明】
【０００１】
【発明の属する技術分野】
本発明は、音声通信とデータ通信とを行う携帯通信端末であって、電話帳機能を有する携帯通信端末に関する。
【０００２】
【従来の技術】
携帯通信端末に関わる帯域幅は広帯域化されている。また、ＣＰＵなどのディバイスの低価格化が進み、ＰＤＡ（Ｐｅｒｓｏｎａｌ  Ｄｉｇｉｔａｌ（Ｄａｔａ）  Ａｓｓｉｓｔａｎｔｓ）などの携帯通信端末における処理能力も向上しつづけている。これに伴い、無線通信手段を有する携帯通信端末は、単なる音声通話から、メール、インターネットアクセス端末へと、また音声だけでなく、文字、静止画像、動画像、音楽なども扱うようになってきており、今後更にＰＤＡに関わる機能が拡充され、１つの情報端末へ移行していくと考えられている。
【０００３】
これまでのデータを送信する方法としては、メールによるファイル添付がある。通常、メールを生成する場合、携帯通信端末に限らずとも、メールの表題、文章の作成、添付するファイルの選択、送信先のアドレスの設定などの手順を踏み、メールを送信する。
【０００４】
従来の通信端末において、例えば誰かの電話番号を教えるなど、通話中に相手に何らかのデータを送信したい状況になった場合、会話を中断し、電話帳から該当する人の電話番号を検索する。そして、表示部に表示された電話番号を読み上げるか、通話終了後にメールを作成し送信するかによって相手に伝えることになる。
【０００５】
従来、音声とデータの両方を送受信する方法としては、ＤＳＶＤモデム（Ｄｉｇｉｔａｌ  Ｓｉｍｕｌｔａｎｅｏｕｓ  Ｖｏｉｃｅ  ａｎｄ  Ｄａｔａ  ｍｏｄｅｍ）がある。これは、データ通信と同時に、音声データも送ることが可能なモデムであり、入力された音声データをＡ／Ｄ変換し、ｖ．４２ｂｉｓ（データ圧縮機能）のフレームの一部に載せ、データと同時に送信することにより、データ通信と音声通信の両方を同時に行うことができるモデムである。しかしながら、この場合、通話相手も同様にＤＳＶＤモデムを使用しなければ、この機能を使うことはできない。
また、同様に通話とデータを同時に送受信するものとしては、テレビ電話などがある。
【０００６】
しかしながら、実際使用する場合は、通話が主となり、状況に応じて、テキスト、画像、音楽などのデータを送受信する。また、実際にはインターネットなどによる情報の検索を必要とするだけであり、テレビ電話などのように随時、データ用の帯域を確保する必要はない。また、これらの場合は、通話中は、通話相手のみとしかデータの送受信を行うことができない。
従来の技術では、通話を中断することなく通話相手に文字メッセージを通知することができるものもある（例えば、特許文献１参照）。
【０００７】
【特許文献１】
特開２００２−３２００２５号公報
【０００８】
一方近年、ＩＭＴ−２０００により、これらの要求に対応できる環境が整いつつある。例えば、ｃｄｍａ２０００を例にとると、音声通話とデータとは別の経路をたどるように設計されており、音声通話が従来のように専用に帯域を確保するのに対して、データはデータ専用の伝送路を用いてパケット通信する。このことから、音声通話を行いつつ、メールの送受信、インターネットアクセスなどのデータ送受信が可能となると考えられる。
図７は、通話、データ送受信のイメージ図である。人Ａ１０５の携帯電話端末１０３は、基地局Ａ１１０と無線接続し、回線網１０９、基地局Ｂ１１１を介し、人Ｂ１１３の電話機能部１００と接続して人Ｂ１１３と音声通話している。この状況下において、人Ａ１０５は、携帯電話端末１０３に記憶されているデータを人Ｂ１１３の所持している情報処理機能部１０１に電話機能部１００を介して送信することが可能である。また、同様に、人Ｃ１０６の所持している携帯電話端末１０４にデータを送信することが可能である。また、同様にインターネットなどにアクセスすることも可能となると考えられる。ここでは、携帯電話端末のみを記載しているが、通話相手が通常の有線電話の場合でも同様に、通話しながらデータアクセスすることが可能となると考えられる。
【０００９】
【発明が解決しようとする課題】
携帯電話端末の取り扱えるデータが、電話帳にかぎらず、画像、音楽、またその他の個人情報管理（ＰＩＭ；Ｐｅｒｓｏｎａｌ  Ｉｎｆｏｒｍａｔｉｏｎ  Ｍａｎａｇｅｒ）などに拡張されている現在においては、通話中に、画像を撮影し、その画像を元に会話を行うなど、使用範囲が広がっていくのが必然と考えられる。
現状では、メール作成時、送信先設定画面を表示した場合には、送信先は何も設定されておらず、自分で記載するか、もしくは電話帳を起動し、選択する方法が取られる。これは、通話中にメールを送信する際の送信先設定に関しても同様である。これに対して、通話中においてメールないしデータの送信を考えた場合、通話相手にメール、データを送信する確率が高いと考えられる場合においても、通話相手への送信メールの作成の度に、送信先設定を常に一から行なわなければならないという問題点を有している。
この発明はこのような点を鑑みてなされたもので、通話時において、通話相手にデータを送信する際、通話相手のアドレスをデータ送信先として自動的に設定する携帯通信端末を提供することを目的とする。
【００１０】
【課題を解決するための手段】
上記した目的を達成するために、請求項１記載の携帯通信端末は、電話番号とアドレスを含む個人データを格納している記憶手段を有し、音声通信およびデータ通信を行う携帯通信端末において、通話中に通話相手の電話番号を、着番号情報ないし発呼番号から取得する取得手段と、前記取得手段により取得した電話番号を有する個人データを、前記記憶手段から検索する検索手段と、前記検索手段により検索した前記個人データに登録されているアドレスを、データの送信先に設定する設定手段とを有する。
【００１１】
請求項２記載の発明は、請求項１記載の携帯通信端末において、前記個人データが１つ以上の電話番号と１つ以上のアドレスを含み、前記個人データに登録された電話番号との通話中において、前記個人データに登録された１つのアドレスをデータ送信先に選択すると、選択されたアドレスを通話中の前記電話番号に関連付けし、次回前記電話番号での通話中に、前記選択されたアドレスがデータ送信先として優先的に設定されることを特徴とする。
【００１２】
請求項３記載の発明は、請求項１または２に記載の携帯通信端末において、前記個人データに登録された電話番号と通話中において、データ送信先のアドレスを入力すると、前記入力したアドレスを通話中の前記電話番号に関連付けることを特徴とする。
【００１３】
請求項４記載の携帯通信端末は、電話番号およびメールアドレスを個人データ毎に記憶する記憶手段を備えた携帯通信端末において、操作手段と、前記操作手段の操作に応じてメールの作成画面を表示する表示手段と、通話中に前記表示手段によって前記メールの作成画面が表示された場合に、通話相手の電話番号と前記記憶手段の情報に基づいて通話相手のメールアドレスを検索する検索手段と、前記検索手段によって検索された通話相手のメールアドレスをメール送信先として設定する設定手段とを備えたことを特徴とする。
【００１４】
請求項５記載の発明は、請求項４記載の携帯通信端末において、前記メール送信先の項目を入力する際に、前記設定手段は通話相手のメールアドレスをメール送信先として設定することを特徴とする。
【００１５】
【発明の実施の形態】
以下、図面を参照して本発明の実施の形態を説明する。
図１は、本発明の一実施形態に係る携帯電話端末１の概略構成を示すブロック図である。制御部１５（取得手段、検索手段、設定手段）は携帯電話端末１の各部を制御する。携帯電話端末１は、操作部１１からの発呼操作により、無線通信部１７、アンテナ１８を介して基地局２と無線接続される。記憶部２３（記憶手段）には電話帳、メールなどの情報が記憶されており、操作部１１からの操作に基づき、情報を表示出力部１４に表示する。音声入力部１２から入力された音声は、音声符号化部１３にて符号化され、多重化・分離部１６にて多重化される。そして無線通信部１７、アンテナ１８を介して基地局２に送出される。受信したデータは、多重化・分離部１６で分離される。そして、音声データは音声復号部２０にて復号されて音声出力部１９から出力され、画像データは画像復号部５６にて復号され表示出力部１４に表示される。
【００１６】
図２に記憶部２３に記憶されている電話帳の例を示す。電話帳の１個人のデータは、ＰＩＭ（Ｐｅｒｓｏｎａｌ  Ｉｎｆｏｒｍａｔｉｏｎ  Ｍａｎａｇｅｒ）などの住所録や電話帳などと同様に、名前、フリガナ、１つ以上の電話番号、１つ以上のアドレス、その他住所などから構成される。このうち、電話番号には、関連付けられるアドレスのポインタなどの指示情報が記載される。
【００１７】
次に、上記構成の携帯電話端末１の動作について説明する。まず、送信する目的となるデータを選択してから、通話相手にデータを送信する操作を行う場合について、図３を参照して説明する。ユーザが操作部１１を用いてデータの表示を指示すると、制御部１５は記憶部２３に格納されているデータを読み出し、表示出力部１４に表示する。ユーザは表示出力部１４に表示されているデータから送信したいデータを操作部１１で選択し（ステップＳ７１０）、操作部１１で送信のための操作を行うと（ステップＳ７１１）、制御部１５はこの携帯電話端末１が通話中か否かの判定を行う（ステップＳ７１２）。通話中の場合（ステップＳ７１２で「Ｙｅｓ」）、制御部１５はステップＳ７１０で選択したデータを添付ファイルとするメールを生成する（ステップＳ７１３）。このとき制御部１５は、メールの件名を、選択したデータのファイル名などから成形した文字列に設定する。
次に制御部１５は、通話相手の着番号ないし発呼番号である電話番号を、記憶部２３に格納されている電話帳から検索する（ステップＳ７１４）。通話相手の電話番号が検索されアドレスが登録されている場合（ステップＳ７１５で「Ｙｅｓ」）、制御部１５は、表示出力部１４にメール送信先設定画面を表示させ、検索した電話番号が登録された電話帳の１個人のデータ内にある、その通話相手のメールアドレスを記憶部２３から取得し、メールの送信先として設定する（ステップＳ７１６）。１個人のデータ内にメールアドレスが複数ある場合は、ユーザが選択したアドレスをメールの送信先として設定する。ユーザが操作部１１でメール送信を指定すると（ステップＳ７１７）、制御部１５は選択したデータを添付ファイルとするメールを、無線通信部１７、アンテナ１８を介して基地局２に送信する（ステップＳ７１８）。
通話中でない場合（ステップＳ７１２で「Ｎｏ」）、制御部１５は表示出力部１４に通常のメールメニューを表示させる（ステップＳ７１９）。ユーザは操作部１１を用いて文書作成、添付ファイルの選択などを行う（ステップＳ７２０）。ユーザは、空白表示されたメール送信先設定項目（ステップＳ７２１）に操作部１１で送信先のアドレスを直接入力するか、電話帳を起動し電話帳からアドレスを検索するかして設定する（ステップＳ７２２）。そして制御部１５は、無線通信部１７、アンテナ１８を介してその設定された送信先にメール送信する（ステップＳ７１８）。
【００１８】
一方、ユーザがデータ送信機能を起動してからデータを選択し、通話相手に送信する場合の動作について図４を参照して説明する。ユーザが操作部１１でメール作成を指示すると、制御部１５はデータ送信用のプログラム（メール作成）を起動する（ステップＳ７３０）。次に、ユーザは操作部１１を用いてメール文書を作成する。またユーザが操作部１１を用いてデータの表示を指示すると、制御部１５は記憶部２３に格納されているデータを読み出し、表示出力部１４に表示する。ユーザが表示出力部１４に表示されているデータから送信したいデータを操作部１１で選択すると、制御部１５は選択したデータを添付ファイルとして設定する（ステップＳ７３１）。次に、ユーザが操作部１１で送信先項目の入力のための操作をすると（ステップＳ７３２）、制御部１５は、携帯電話端末１が通話中であるか否かの判定を行う（ステップＳ７３３）。通話中の場合（ステップＳ７３３で「Ｙｅｓ」）、制御部１５は通話相手の着番号ないし発呼番号である電話番号を、記憶部２３に格納されている電話帳から検索する（ステップＳ７３４）。電話帳にその通話相手の電話番号が検索されアドレスが登録されている場合（ステップＳ７３５で「Ｙｅｓ」）、制御部１５は検索した電話番号が登録された電話帳の１個人のデータ内にある、その通話相手のメールアドレスを記憶部２３から取得し、メールの送信先として設定する（ステップＳ７３６）。１個人のデータ内にメールアドレスが複数ある場合は、ユーザが選択したアドレスをメールの送信先として設定する。ユーザが操作部１１でメール送信を指定すると（ステップＳ７３７）、制御部１５は選択したデータを添付ファイルとするメールを無線通信部１７、アンテナ１８を介して基地局２に送信する（ステップＳ７３８）。
通話中でない場合（ステップＳ７３３で「Ｎｏ」）、ユーザは、通常のメール作成通り、空白表示されたメール送信先設定項目（ステップＳ７３９）に、操作部１１で送信先のアドレスを直接入力するか、電話帳を起動し、電話帳からアドレスを検索するかして設定する（ステップＳ７４０）、そして制御部１５は無線通信部１７、アンテナ１８を介してその設定された送信先にメール送信する（ステップＳ７３８）。
【００１９】
ところで、図２に示す電話帳に記載された指示情報は、通話中にデータ送信を行なった時に選択されたアドレスを指示している。この場合、電話番号１（０４５−ｘｘｘ−ｘｘｘｘ）と通話時にメール送信する際、アドレス１（会社のメールアドレス）を選択したため、次からは、電話番号１と通話時に、メール送信する際に、送信先のアドレスには、優先的にアドレス１が設定されるようになる。また同様に、電話番号２（０９０−ｘｘｘｘ−ｘｘｘｘ）と通話時にメール送信する際、送信先のアドレスには、アドレス３（携帯電話のメールアドレス）が優先的に設定される。これにより、通話中に何度もデータ（メール）を送信する際に、電話番号に関連付けてアドレスが設定されるため、１度相手のアドレスを設定すれば、次からは複数のアドレスから選択する操作を削減することが可能となる。関連付けられるアドレスは、個人データ内に限定する。よって、通話相手と異なる人にデータ（メール）を送信した後でも、電話番号への関連付けが変更されないため、通話相手へのデータ（メール）の送信を容易に続けることが可能となる。関連付けられた電話番号とアドレスは、必ずしも同一の端末の電話番号とアドレスでなくとも良い。
【００２０】
なお、通話相手の電話番号に該当する電話帳の個人データに、アドレスが設定されていない場合、もしくは、アドレスに空きがある場合に、送信先設定時の画面にて直接入力したアドレス（電話帳を用いないで入力したアドレス）を、その電話番号に関連付けられるアドレスとして、前記個人データに登録する。また、着信電話番号が非通知の場合、その通話限りの関連付けのアドレスエリアを用意し、その通話中に設定した送信先のアドレスを記憶しておき、同通話中に再度データ送信がある際に、前記記憶したアドレスを送信先のアドレスとして設定するものとする。ここでは、電話番号に関連付けられるアドレスは、電話帳の同個人データに記載されているアドレスに限定しているが、これが、他のアドレスに関連付けられても良いものとする。
【００２１】
図５は図３で示した動作に対応する使用イメージである。人Ａ１０５の携帯電話端末１０３は、人Ｃ１０６の携帯電話端末１０４と音声通話をしている。人Ａ１０５が、携帯電話端末１０３に記憶されている画像から、画像Ｂを選択すると、画像Ｂが携帯電話端末１０３の表示部に表示出力される。その状態で送信キーを押下すると、画像Ｂファイルはメールに添付され、メールの送信先として、携帯電話端末１０３の電話帳に記録されている、人Ｃ１０６の携帯電話端末１０４の電話番号に関連付けられたアドレスを設定する。更に人Ａ１０５が送信キーを押下すると、人Ｃ１０６の携帯電話端末１０４宛てにメール送信される。送信したメールの件名（Ｓｕｂｊｅｃｔ）には、選択した画像Ｂのファイル名などから成形した文字列が設定される。また、送信メールには画像Ｂが添付ファイル１０８として送られる。
【００２２】
なお、上述した携帯電話端末は受話器、無線処理部などから構成される電話機能部と、操作部、表示部、撮像部などから構成される情報処理機能部とに着脱分離可能である。電話機能部と情報処理機能部を分離した状態で使用するイメージを図６に示す。人Ａ１０５は人Ｃ１０６と音声通話している状態で、情報処理機能部１０１に記憶されているメールなどを開き、メール本文から任意の文字列を選択する（ここでは、０９０−ｘｘｘｘ−ｘｘｘｘ）。人Ａ１０５はこの文字列を選択した状態で情報処理機能部１０１の送信キーを押下すると、メールの送信先として、情報処理機能部１０１のアドレス帳に記録されている、人Ｃ１０６の携帯電話端末１０４の電話番号に関連付けられたアドレスを設定する。更に人Ａ１０５が情報処理機能部１０１の送信キーを押下すると、電話機能部１００を介して人Ｃ１０６の携帯電話端末１０４宛てにメール送信される。送信されたメールの件名（Ｓｕｂｊｅｃｔ）には、前記選択した文字列（０９０−ｘｘｘｘ−ｘｘｘｘ）から成形した文字列が設定され、メール本文には、前記選択した文字列が設定される。
【００２３】
以上のようにユーザは、データの送信に伴う複雑な操作を行うことなく、通話に支障をきたすことなく、要望のデータを通話相手に送信することが可能となる。
携帯電話端末が、電話機能部と情報処理機能部とに分離可能な場合は、通話を中断することなく、データ送信に関わる操作を行なうことが可能となる。また同様に、通話相手、その他からのメールなども受信可能であり、受信メール、および受信データに目を通しつつ、通話を継続することが可能となる。
また、通話に比べて、データ（メール）の送受信は、単発的なため、音声品質への負荷、回線網のトラフィック負荷も低く抑えられる。
【００２４】
以上、本発明の実施形態について図面を参照して詳述してきたが、具体的な構成はこの実施形態に限られるものではなく、本発明の要旨を逸脱しない範囲の設計変更等も含まれる。
【００２５】
例えば、上記実施形態における携帯電話端末の代わりに、無線通信機能を備えた携帯型パーソナル・コンピュータ又はＰＤＡ（Ｐｅｒｓｏｎａｌ  Ｄｉｇｉｔａｌ  Ａｓｓｉｓｔａｎｃｅ）に本発明を適用してもよい。
また、上記実施形態では、送信先のアドレスとして、メールアドレスを示しているが、他のＩＰアドレスを用いて直接ｆｔｐ転送するなど、他のアドレス、データ送信方法であってもかまわないものとする。
【００２６】
【発明の効果】
以上の説明で明らかなように、本発明によれば、通話相手の電話番号に基づき、記憶手段から検索したアドレスを、データの送信先に設定することにより、通話中のデータの送信に関わる操作性を向上させることが可能となる。
【図面の簡単な説明】
【図１】本発明の一実施形態に係る携帯電話端末１の概略構成を示すブロック図である。
【図２】同実施形態における電話帳の個人データの例である。
【図３】同実施形態における、データを選択してから送信を行う動作を示すフローチャートである。
【図４】同実施形態における、データ送信機能を起動してからデータを選択する動作を示すフローチャートである。
【図５】同実施形態における図２の動作に対応する使用イメージである。
【図６】携帯電話端末１の機能を分離した場合の使用イメージである。
【図７】通話、データ送受信のイメージ図である。
【符号の説明】
１…携帯電話端末、２…基地局、１１…操作部、１２…音声入力部、１３…音声符号化部、１４…表示出力部、１５…制御部、１６…多重化・分離部、１７…無線通信部、１８…アンテナ、１９…音声出力部、２０…音声復号部、２３…記憶部、５６…画像復号部
【図１】
2004260686.tif 000003
【図２】
2004260686.tif 000004
【図３】
2004260686.tif 000005
【図４】
2004260686.tif 000006
【図５】
2004260686.tif 000007
【図６】
2004260686.tif 000008
【図７】
2004260686.tif 000009